(57)【要約】【課題】  撮影モード（動画・静止画モード）に応じて基板電圧を切り替える前後におけるホワイトバランスの差異を無くし、撮影モードの切り替え時において基板電圧を変化させたとしても、常に正確なホワイトバランスを得る。【解決手段】  被写体の光学像を電気信号に変換するＣＣＤ２０４と、ＣＣＤ２０４から出力される映像信号のホワイトバランスゲインの調整を行うホワイトバランス制御手段１０７とを含み、ホワイトバランス制御手段１０７は、ＣＣＤ２０４の複数の撮影モードに応じた各基板電圧を用いて、各基板電圧における各ホワイトバランスゲインの調整を順次行う。【選択図】  図２
2006303811.tif 000002
【特許請求の範囲】
【請求項１】
被写体の光学像を電気信号に変換する撮像手段と、
前記撮像手段から出力される映像信号のホワイトバランスゲインの調整を行うホワイトバランス制御手段と
を含み、
前記ホワイトバランス制御手段は、前記撮像手段の複数の撮影モードに応じた各基板電圧を用いて、前記各基板電圧における前記各ホワイトバランスゲインの調整を順次行うことを特徴とする撮像装置。
【請求項２】
前記撮像手段の複数の撮影モードに応じた各基板電圧を記憶する第１の記憶手段と、
前記ホワイトバランス制御手段で得られた複数の前記ホワイトバランスゲインを記憶する第２の記憶手段と
を更に含み、
前記ホワイトバランス制御手段は、前記第１の記憶手段に記憶された前記各基板電圧を用いて、前記各基板電圧における前記各ホワイトバランスゲインの調整を順次行い、調整された前記各ホワイトバランスゲインを前記第２の記憶手段に記憶することを特徴とする請求項１に記載の撮像装置。
【請求項３】
ホワイトバランス処理を行うホワイトバランス手段を更に含み、
前記ホワイトバランス制御手段は、設定された基板電圧に対応する前記ホワイトバランスゲインを前記第２の記憶手段から読み出して、前記ホワイトバランス手段に設定することを特徴とする請求項２に記載の撮像装置。
【請求項４】
前記各撮影モードは、電荷の加算読み出しを行う動画撮影モードと、電荷の非加算読み出しを行う静止画撮影モードとであることを特徴とする請求項１〜３のいずれか１項に記載の撮像装置。
【請求項５】
被写体の光学像を電気信号に変換する撮像手段を備えた撮像装置の制御方法であって、
前記撮像手段の複数の撮影モードのうち、所定の撮影モードに対応して基板電圧を設定するステップと、
当該基板電圧における前記各ホワイトバランスゲインの調整を行うステップと
を含み、
一連の前記各ステップを、前記各撮影モード毎に順次実行することを特徴とする撮像装置の制御方法。
【請求項６】
一連の前記各ステップを、前記各撮影モード毎に順次実行した後、
設定された基板電圧に対応して、前記ホワイトバランスゲインを設定してホワイトバランス処理を行うことを特徴とする請求項５に記載の撮像装置の制御方法。
【請求項７】
前記各撮影モードは、電荷の加算読み出しを行う動画撮影モードと、電荷の非加算読み出しを行う静止画撮影モードとであることを特徴とする請求項５又は６に記載の撮像装置の制御方法。
【請求項８】
被写体の光学像を電気信号に変換する撮像手段を備えた撮像装置の制御するに際して、
コンピュータに、
前記撮像手段の複数の撮影モードのうち、所定の撮影モードに対応して基板電圧を設定するステップと、
当該基板電圧における前記各ホワイトバランスゲインの調整を行うステップと
を含み、
一連の前記各ステップを、前記各撮影モード毎に順次実行させるためのプログラムを記憶したコンピュータ読み取り可能な記憶媒体。
【請求項９】
被写体の光学像を電気信号に変換する撮像手段を備えた撮像装置の制御するに際して、
コンピュータに、
前記撮像手段の複数の撮影モードのうち、所定の撮影モードに対応して基板電圧を設定するステップと、
当該基板電圧における前記各ホワイトバランスゲインの調整を行うステップと
を含み、
一連の前記各ステップを、前記各撮影モード毎に順次実行させるためのプログラム。
【発明の詳細な説明】
【技術分野】
【０００１】
本発明は、静止画像や動画像を撮像、記録及び再生する撮像装置及びその制御方法、記憶媒体及びプログラムに関する。
【背景技術】
【０００２】
被写体の光学像を電気信号に変換する撮像素子（ＣＣＤ）の読み出しは、ＣＣＤの撮影モードに応じて行われる。具体的には、動画撮影モード、即ち動画像のフィールド画を生成する場合に用いられる、垂直方向の２画素を加算して読み出す加算読み出しと、静止画撮影モード、即ち高精細静止画を生成する場合に用いられる、１画素ずつ読み出す非加算読み出しとがある。通常、動画像及び静止画像を適宜撮影するため、加算読み出しと非加算読み出しとを随時切り替えて用いている。
【０００３】
動画像を生成するための加算読み出しを行う場合、２画素の加算を垂直転送路にて行うため、１画素あたりの蓄積電荷量を非加算の場合と比較して１／２に減少させる必要がある。このため、基板電圧を高く設定して、１画素あたりの蓄積電荷量を小さくなるように調節している。
【０００４】
一方、静止画像を生成するための非加算読み出しを行う場合、加算読み出しのように電荷の加算が行われないため、１画素あたりの電荷蓄積量を大きくすることが可能であり、従って基板電圧を低く設定している。
【０００５】
ここで仮に、加算読み出し時に非加算読み出し時の基板電圧を設定すると、垂直転送路で加算されたときに蓄積電荷が溢れてしまい、いわゆるブルーミング等の不都合が発生することがある。
【０００６】
一方、仮に、非加算読み出し時に加算読み出し時の基板電圧を設定すると、ＣＣＤの飽和出力が小さくなるという不都合が発生する。このため、各読み出し方法に応じたＣＣＤ基板電圧をＣＣＤに印加するのが一般的である。
本発明に関連した従来の技術としては、例えば特許文献１がある。
【０００７】
また、ホワイトバランス（ＷＢ）の制御方法として、ＣＣＤの信号出力をＲ（赤）、Ｇ（緑）、Ｂ（青）の３つの成分に分離し、このうちＲ及びＢのゲインを変化させることで、ＷＢの制御を行うのが一般的である。
【０００８】
【特許文献１】特開２００１−６９４０９号公報
【発明の開示】
【発明が解決しようとする課題】
【０００９】
上述のように、ＣＣＤの読み出し方式に応じたＣＣＤ基板電圧を印加する必要があるが、このＣＣＤ基板電圧を低くすると、高いときに比べて長波長側の感度が大きくなるという特性がある。この特性により、動画・静止画撮影モードを切り替えるために加算読み出しと非加算読み出しとを切り替える場合のように、ＣＣＤに印加する基板電圧を異なるものに変化させると、長波長側の感度も変化し、同時に黒体放射特性が変化する。
【００１０】
図５は、ＣＣＤ基板電圧によって変化する黒体放射特性を示す特性図である。
加算読み出しを行う時の高いＣＣＤ基板電圧を設定した場合における黒体放射特性は、図５の破線のようになり、非加算読み出しを行う時の低いＣＣＤ基板電圧を設定した場合、加算読み出し時に比べて、ＣＣＤの長波長側の感度が上がるため、黒体放射特性は図５の実線のようになる。
【００１１】
また、ある色温度において、加算読み出し時のＣＣＤ基板電圧に設定した場合の最適なＷＢゲインを図５の白丸で、非加算読み出し時のＣＣＤ基板電圧に設定した場合の最適なＷＢゲインを黒丸でそれぞれ示す。このように、最適なＷＢゲインも異なるため、ＣＣＤ基板電圧を変化させる前後でＷＢゲインを同じ状態とした場合、ＷＢにズレが生じてしまう。
【００１２】
この問題を解決するため、従来のＷＢ制御においては、ＣＣＤ基板電圧を変化させる場合、ＣＣＤの長波長側の感度の変化量に応じた係数をＷＢゲインに与えてＷＢゲインを算出していた。
【００１３】
しかしながら、高色温度時と低色温度時では光源の長波長の分光特性が異なるため、色温度に応じてこの係数が一定でなく、またＣＣＤのカラーフィルタなどの撮像系の分光特性のばらつきがあるため、ＣＣＤ基板電圧を変化させた時、これらの差異を正確に計算で吸収し、正確なＷＢゲインを与えることは困難であった。
【００１４】
そのため、特に、被写体の正確なＷＢ処理を行うために、白色板などを撮影し、信号出力のＲ、Ｇ、Ｂ成分が正確に一致するように制御するＷＢセットモードにおいては、計算による分光特性の補正を行ったとしても、ＣＣＤ基板電圧の変化前後でホワイトバランスに差異が生じてしまい、正確性が失われてしまうという問題があった。
【００１５】
本発明は、上記の課題に鑑みてなされたものであり、撮影モード（動画・静止画モード）に応じて基板電圧を切り替える前後におけるＷＢの差異を無くし、撮影モードの切り替え時において基板電圧を変化させたとしても、常に正確なＷＢを得ることを可能とする撮像装置及びその制御方法、記憶媒体及びプログラムを提供することを目的とする。
【課題を解決するための手段】
【００１６】
本発明の撮像装置は、被写体の光学像を電気信号に変換する撮像手段と、前記撮像手段から出力される映像信号のホワイトバランスゲインの調整を行うホワイトバランス制御手段とを含み、前記ホワイトバランス制御手段は、前記撮像手段の複数の撮影モードに応じた各基板電圧を用いて、前記各基板電圧における前記各ホワイトバランスゲインの調整を順次行う。
【００１７】
本発明の撮像装置の制御方法は、被写体の光学像を電気信号に変換する撮像手段を備えた撮像装置の制御方法であって、前記撮像手段の複数の撮影モードのうち、所定の撮影モードに対応して基板電圧を設定するステップと、当該基板電圧における前記各ホワイトバランスゲインの調整を行うステップとを含み、一連の前記各ステップを、前記各撮影モード毎に順次実行する。
【発明の効果】
【００１８】
本発明により、撮影モード（動画・静止画モード）に応じて基板電圧を切り替える前後におけるＷＢの差異が無くなり、撮影モードの切り替え時において基板電圧を変化させたとしても、常に正確なＷＢを得ることが可能となる。
【発明を実施するための最良の形態】
【００１９】
以下、本発明を適用した好適な実施形態について、図面を参照しながら詳細に説明する。
（撮像装置の構成）
図１は、本実施形態による撮像装置の全体構成を示すブロック図である。
２０１は、撮像する映像を結像するための光学レンズ、２０２は、入射する光量を制限するアイリス・メカシャッター、２０３は、光学レンズ２０１及びアイリス・メカシャッター２０３を駆動するレンズ・アイリス駆動回路である。
【００２０】
２０４は、結像した光を光電変換するＣＣＤ、２０５は、ＣＣＤ２０４に与える基板電圧を制御するＣＣＤ基板電圧制御回路、２０６は、ＣＣＤ２０４の電気信号に対して相関二重サンプリング（ＣＤＳ）、ゲインコントロール及びＡ／Ｄ変換を行うＣＤＳ・ＡＧＣ・Ａ／Ｄ回路、２０７は、ＣＤＳ・ＡＧＣ・Ａ／Ｄ回路２０６から出力されるデジタル映像信号を入力し、色分離処理、ＷＢ処理などを行いデジタル映像信号を生成する信号処理回路、２０８は、ＣＣＤ２０４やＣＣＤ基板電圧制御回路２０５、ＣＤＳ・ＡＧＣ・Ａ／Ｄ回路２０６及び信号処理回路２０７に対して、水平・垂直転送パルスやサンプルホールド信号、水平・垂直同期信号などを供給するＴＧ（タイミング発生器）である。
【００２１】
２０９は、信号処理回路２０７から出力されるデジタル映像信号を後述のパネル出力回路２１７や静止画記録再生制御回路２１４、動画記録再生回路２１６を相互に接続し、入出力の制御を行う画像入出力コントローラである。
【００２２】
２１０は、レンズ・アイリス駆動回路２０３、ＣＣＤ基板電圧制御回路２０５、信号処理回路２０７、ＴＧ２０８及び画像入出力コントローラ２０９に対して制御を行うシステムコントローラである。
【００２３】
２１１は、動画像及び静止画像の記録を画像入出力コントローラ２０９に指示する記録スイッチ、２１２は、システムコントローラ２１０や画像入出力コントローラ２０９に対して、動画像・静止画像の切り替えを指示する動画・静止画切り替えスイッチである。
【００２４】
２１３は、記憶媒体であるメモリカード、２１４は、画像入出力コントローラ２０９が出力する静止画像をメモリカード２１３に記録するための静止画記録再生回路である。２１５は、動画記憶媒体である磁気テープ、２１６は、画像入出力コントローラ２０９が出力する動画像を磁気テープ２１５に記録するための動画記録再生回路である。２１７は、画像出力コントローラ２０９の出力を液晶パネル等に表示するパネル出力回路である。２１８は、システムコントローラ２１０に対して、ＷＢのセット動作を指示するＷＢセットスイッチである。
【００２５】
図２は、本実施形態の特徴を最も良く表しており、本発明の主要構成として、図１の信号処理回路２０７及びシステムコントローラ２１０の内部構成を詳細に示すブロック図である。
信号処理回路２０７は、色分離回路１０２と、ＷＢ回路１０３と、色信号処理回路１０４を含み構成されている。
【００２６】
色分離回路１０２は、ＣＤＳ・ＡＧＣ・Ａ／Ｄ回路２０６からの信号をＲ，Ｇ，Ｂ成分の色信号に分離する回路である。これは、ＣＣＤに補色系の色フィルタを用いた場合であって、原色系の色フィルタを用いたＣＣＤの場合には色分離回路１０２を動作させない。
【００２７】
ＷＢ回路１０３は、Ｒ，Ｇ，Ｂ成分とされたデジタル信号に対して、それぞれゲインをかけることでＷＢ処理を行う回路である。
色信号処理回路１０４は、ＷＢ処理が行われたデジタル信号Ｒｗ，Ｇｗ，Ｂｗから色差信号に変換し、色相補正や色ゲインの補正などを行い、またＷＢ処理のための白抽出信号を生成する回路である。
【００２８】
システムコントローラ２１０は、切り替えスイッチ１０６と、ＷＢ制御回路１０７と、内部ＲＯＭ１１０と、内部ＲＡＭ１１３とを含み構成されている。
内部ＲＯＭ１１０は、ＣＣＤ２０４の各基板電圧設定値を格納しておく内部ＲＯＭであり、１１１はＣＣＤ２０４の加算読み出し時にＣＣＤ基板電圧設定回路２０５に設定するＣＣＤ基板電圧設定値１であり、１１２は非加算読み出し時にＣＣＤ基板電圧設定回路２０５に設定するＣＣＤ基板電圧設定値２である。
【００２９】
内部ＲＡＭ１１３は、ＷＢゲインデータを格納しておく内部ＲＡＭであり、１１４は、ＣＣＤ基板電圧設定値１の時のホワイトバランスゲインを記憶するＷＢゲインデータ１であり、１１５はＣＣＤ基板電圧設定値２の時のホワイトバランスゲインを記憶するＷＢゲインデータ２である。
【００３０】
ＷＢ制御回路１０７は、色信号処理回路１０４からのＷＢ検波信号により、ＷＢ処理が行われたデジタル信号Ｒｗ，Ｇｗ，Ｂｗが一致するようＷＢゲインを算出し、ＷＢ回路１０３に設定する回路である。また、ＷＢ制御回路１０７は、内部ＲＡＭ１１３に対してＷＢゲインデータを出力し、また内部ＲＡＭ１１３からＷＢゲインデータを読み出す。
【００３１】
切り替えスイッチ１０６は、動画・静止画切り替えスイッチ２１２からの切り替え信号に基づいて、内部ＲＡＭ１１３のＷＢゲインデータ及び内部ＲＯＭ１１０のＣＣＤ基板電圧設定値を切り替えるスイッチである。
【００３２】
（撮像装置の制御方法）
図３は、本実施形態による撮像装置を用いた制御方法をステップ順に示すフローチャートである。
本実施形態では、説明の便宜上、撮像装置の初期状態（説明を開始するにあたって、撮像装置の初期に設定された状態）として、切り替えスイッチ１０６がa及びｃに接続状態とされているとき、即ちＣＣＤ基板電圧設定値１が基板電圧としてＴＧ２０８の設定がなされ、ＣＣＤ２０４を加算読み出しで動作させている場合を前提として説明する。
【００３３】
先ず、システムコントローラ２１０は、ＷＢセットスイッチ２１８の接続状態を検出し、ホワイトバランスセットの動作を開始する（Ｆ４０１）。
【００３４】
次に、ＷＢ制御回路１０７は、色信号処理回路１０４からのＷＢ検波信号に基づき、デジタル信号Ｒｗ，Ｇｗ，Ｂｗが一致するようにＷＢゲインを算出し（Ｆ４０２）、内部ＲＡＭ１１３のＷＢゲインデータ１に設定する（Ｆ４０３）。この設定により、ＣＣＤ基板電圧設定値１の時のＷＢゲインがＷＢゲインデータ１に設定される。
【００３５】
次に、システムコントローラ２１０は、切り替えスイッチ１０６をｂ及びｄに切り替え（Ｆ４０４）、ＴＧ２０８を非加算読み出しに設定する（Ｆ４０５）。
【００３６】
次に、システムコントローラ２１０は、ＣＣＤ基板電圧設定値２を読み出し、ＣＣＤ基板電圧制御回路２０５に設定する（Ｆ４０６）。
【００３７】
次に、ＷＢ制御回路１０７は、色信号処理回路１０４からのＷＢ検波信号に基づき、デジタル信号Ｒｗ，Ｇｗ，Ｂｗが一致するようにＷＢゲインを算出し（Ｆ４０７）、算出したＷＢゲインをＷＢゲインデータ２に設定する（Ｆ４０８）。この設定により、ＣＣＤ基板電圧設定値２の時のＷＢゲインがＷＢゲインデータ２に設定され、ＷＢセット動作を終了する（Ｆ４０９）。
【００３８】
以上のようにＷＢセット動作を行うことにより、各ＣＣＤ基板電圧におけるＷＢゲインを得ることができ、ＣＣＤ基板電圧が切り替わったとしても、各電圧における正確なＷＢゲインを設定することが可能となる。
【００３９】
なお、撮像装置の初期状態として、切り替えスイッチ１０６がｂ及びｄに接続状態とされているとき、即ちＣＣＤ基板電圧設定値２が基板電圧としてＴＧ２０８の設定がなされ、ＣＣＤ２０４を非加算読み出しで動作させている場合を前提とするときには、上述したＦ４０１〜Ｆ４０８の説明において、ＣＣＤ基板電圧設定値１と２、ＷＢゲインデータ１と２、切り替えスイッチ１０６の接続状態であるａ，ｃとｂ，ｄ、加算読み出しと非加算読み出しを、それぞれ入れ換えれば良い。
【００４０】
続いて、上記のＷＢセットが行われた状態で、動画・静止画切り替えスイッチにより、加算、非加算読み出しを切り替える場合の動作を、図４のフローチャートを用いて説明する。
【００４１】
先ず、システムコントローラ２１０は、動画・静止画切り替えスイッチ２１２からの切り替え信号を検出し（Ｆ５０１）、動画像撮影モード及び静止画像撮影モードのいずれが選択されたか判断する（Ｆ５０２）。
【００４２】
静止画像撮影モードが選択された場合、システムコントローラ２１０は、切り替えスイッチ１０６をｂ及びｄに切り替え（Ｆ５０３）、ＴＧ２０８を非加算読み出しに設定する（Ｆ５０４）。
【００４３】
次に、システムコントローラ２１０は、内部ＲＯＭ１１０からＣＣＤ基板電圧設定値２を読み出し、ＣＣＤ基板電圧制御回路２０５に設定する（Ｆ５０５）。
【００４４】
次に、ＷＢ制御回路１０７は、内部ＲＡＭ１１３からＷＢゲインデータ２を読み出し、ＷＢ制御回路１０７を介してＷＢ回路１０３に設定する（Ｆ５０６）。
【００４５】
一方、動画像撮影モードが選択された場合、システムコントローラ２１０は、切り替えスイッチ１０６をａ及びｃに切り替え（Ｆ５０７）、ＴＧ２０８を加算読み出しに設定する（Ｆ５０８）。
【００４６】
次に、ＷＢ制御回路１０７は、内部ＲＯＭ１１０からＣＣＤ基板電圧設定値１を読み出し、ＣＣＤ基板電圧制御回路２０５に設定する（Ｆ５０９）。
【００４７】
次に、ＷＢ制御回路１０７は、内部ＲＡＭ１１３よりＷＢゲインデータ１を読み出し、ＷＢ制御回路１０７を介してＷＢ回路１０３に設定する（Ｆ５１０）。
以上により、切り替え動作を終了する（Ｆ５１１）。
【００４８】
以上のように切り替え動作を行うことにより、ＣＣＤ基板電圧を切り替えた前後におけるＷＢの差異が無くなり、常に正確なＷＢ処理を実行することが可能となる。
【００４９】
なお、図３及び図４のフロー図等におけるプログラムコード等は、コンピュータのＲＡＭやＲＯＭなどに記憶されたプログラムが動作することによって実現できる。このプログラム、及び当該プログラムを記録したコンピュータ読み取り可能な記憶媒体は本発明の実施形態に含まれる。
【００５０】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５１】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００５２】
例えば、図６は、パーソナルユーザ端末装置の内部構成を示す模式図である。この図６において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【００５３】
ＰＣ１２００のＣＰＵ１２０１、ＲＯＭ１２０２またはハードディスク（ＨＤ）１２１１に記憶されたプログラムにより、本実施形態における図３のＦ４０１〜Ｆ４０９及び図５のＦ５０１〜Ｆ５１１等の手順が実現される。
【００５４】
１２０３はＲＡＭであり、ＣＰＵ１２０１の主メモリ、ワークエリア等として機能する。１２０５はキーボードコントローラ（ＫＢＣ）であり、キーボード（ＫＢ）１２０９や不図示のデバイス等からの指示入力を制御する。
【００５５】
１２０６はＣＲＴコントローラ（ＣＲＴＣ）であり、ＣＲＴディスプレイ（ＣＲＴ）１２１０の表示を制御する。１２０７はディスクコントローラ（ＤＫＣ）であり、ブートプログラム（起動プログラム：パソコンのハードやソフトの実行（動作）を開始するプログラム）、複数のアプリケーション、編集ファイル、ユーザファイル及びネットワーク管理プログラム等を記憶するハードディスク（ＨＤ）１２１１や、フレキシブルディスク（ＦＤ）１２１２とのアクセスを制御する。
【００５６】
１２０８はネットワークインタフェースカード（ＮＩＣ）であり、ＬＡＮ１２２０を介して、ネットワークプリンタ、他のネットワーク機器、あるいは他のＰＣと双方向のデータのやり取りを行う。
【図面の簡単な説明】
【００５７】
【図１】本実施形態による撮像装置の全体構成を示すブロック図である。
【図２】本発明の主要構成の内部構成を詳細に示すブロック図である。
【図３】本実施形態による撮像装置を用いた制御方法をステップ順に示すフローチャートである。
【図４】本実施形態による撮像装置を用いた制御方法をステップ順に示すフローチャートである。
【図５】ＣＣＤ基板電圧によって変化する黒体放射特性を示す特性図である。
【図６】パーソナルユーザ端末装置の内部構成を示す模式図である。
【符号の説明】
【００５８】
１０１  信号処理回路
１０２  色分離回路
１０３  ＷＢ回路
１０４  色信号処理回路
１０５  システムコントローラ
１０６  切り替えスイッチ
１０７  ＷＢ制御回路
１１０  内部ＲＯＭ
１１１  ＣＣＤ基板電圧設定値１
１１２  ＣＣＤ基板電圧設定値２
１１３  内部ＲＡＭ
１１４  ＷＢゲインデータ1
１１５  ＷＢゲインデータ２
【図１】
2006303811.tif 000003
【図２】
2006303811.tif 000004
【図３】
2006303811.tif 000005
【図４】
2006303811.tif 000006
【図５】
2006303811.tif 000007
【図６】
2006303811.tif 000008